(57)【要約】【課題】複数の方向から配信される地上波を受信するＴＶ放送受信装置において、時刻に応じた制御を多指向性アンテナに対してできるようにすると共に、地上波の受信状況の時間的な変化に適切に対応することができるようにする。【解決手段】ＴＶ放送受信装置は、多指向性アンテナの複数ある受信方向のうちのいずれか１つの受信方向のみを有効にしてＴＶ放送信号を受信する手段を備えると共に、時刻を計測する時刻計測手段を備える。ＴＶ放送受信装置は、時刻計測手段により計測された時刻に基づいて、所定時間帯毎の受信方向テーブル５０ａ〜５０ｃを作成し、これらの受信方向テーブル５０ａ〜５０ｃに基づいて、各時間帯毎に制御パラメータを変更して多指向性アンテナを制御するので、多指向性アンテナを各時間帯に応じて適切に制御することができる。【選択図】  図１１
2006014060.tif 000002
【特許請求の範囲】
【請求項１】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
時刻を計測する時刻計測手段と、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、
前記制御信号出力手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記受信方向テーブルの内容を更新するオートスキャン手段と、
前記オートスキャン手段による処理を繰り返すことにより、前記放送局から配信される全てのチャンネルについて、前記最適受信方向及び前記登録チャンネル情報を決定し、前記受信方向テーブルの内容を更新する全域スキャン手段と、
前記時刻計測手段により計測された時刻に基づいて、予めユーザによって設定された時刻に前記オートスキャン手段又は全域スキャン手段による処理を実行して、前記受信方向テーブルの内容を更新するタイマスキャン手段と、
前記時刻計測手段により計測された時刻に基づいて、予めユーザによって設定された所定時間帯毎に、これら各所定時間帯に対応する前記受信方向テーブルを作成し、前記受信方向テーブル記憶手段に記憶させる時間帯別受信方向テーブル作成手段と、
前記受信手段により受信したテレビジョン放送信号の受信強度が所定値以下になった状態が、所定の遅延時間だけ継続したときに、前記オートスキャン手段による処理を実行して、前記受信方向テーブルの内容を更新するノーシグナル時スキャン手段と、
前記時刻計測手段により計測された時刻に基づいて、前記ノーシグナル時スキャン手段による処理の際の前記遅延時間を前記所定時間帯毎に決定する遅延時間決定手段と、
を備えたことを特徴とするテレビジョン放送受信装置。
【請求項２】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
時刻を計測する時刻計測手段と、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、
前記制御信号出力手段により前記多指向性アンテナの全ての受信方向を順次指示して、前記受信手段によりテレビジョン放送信号を受信することにより、前記放送局から配信される任意の１チャンネルについて前記最適受信方向を決定し、前記受信方向テーブルの内容を更新するオートスキャン手段と、
前記時刻計測手段により計測された時刻に基づいて、予めユーザによって設定された時刻に前記オートスキャン手段による処理を実行して、前記受信方向テーブルの内容を更新するタイマスキャン手段と、
を備えたことを特徴とするテレビジョン放送受信装置。
【請求項３】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
時刻を計測する時刻計測手段と、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、
前記時刻計測手段により計測された時刻に基づいて、予めユーザによって設定された所定時間帯毎に、これら各所定時間帯に対応する前記受信方向テーブルを作成し、前記受信方向テーブル記憶手段に記憶させる時間帯別受信方向テーブル作成手段と、
を備えたことを特徴とするテレビジョン放送受信装置。
【請求項４】
予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、
時刻を計測する時刻計測手段と、
前記多指向性アンテナに対して、テレビジョン放送信号を受信するための受信方向を指示するための制御信号を出力する制御信号出力手段と、
前記多指向性アンテナが接続され、テレビジョン放送信号の受信を行う受信手段と、
放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、
前記制御信号出力手段により前記多指向性アンテナの全ての受信方向を順次指示して、前記受信手段によりテレビジョン放送信号を受信することにより、前記放送局から配信される任意の１チャンネルについて前記最適受信方向を決定し、前記受信方向テーブルの内容を更新するオートスキャン手段と、
前記受信手段により受信したテレビジョン放送信号の受信強度が所定値以下になった状態が、所定の遅延時間だけ継続したときに、前記オートスキャン手段による処理を実行して、前記受信方向テーブルの内容を更新するノーシグナル時スキャン手段と、
前記時刻計測手段により計測された時刻に基づいて、前記ノーシグナル時スキャン手段による処理の際の前記遅延時間を所定時間帯毎に決定する遅延時間決定手段と、
を備えたことを特徴とするテレビジョン放送受信装置。
【発明の詳細な説明】
【技術分野】
【０００１】
本発明は、複数の方向から配信されるテレビジョン放送信号を受信するテレビジョン放送受信装置に関する。
【背景技術】
【０００２】
ＡＴＳＣディジタルテレビジョン放送が行われている北米大陸では、平野部に大都市が点在するため、各都市の近郊で放送されているディジタルテレビジョン放送信号を他の都市や、その中間地点で受信することが可能である。また、従来のＮＴＳＣアナログテレビジョン放送も引き続き行われている。テレビジョン放送信号を受信するユーザ側から見ると、様々な方向からテレビジョン放送信号が配信されてくるため、自分の見たい番組が放送されている放送局の方向にアンテナの向きを調節する必要がある。そこで、スマートアンテナなど多指向性アンテナが実用化されつつある。
【０００３】
ＥＩＡ−９０９規格によれば、スマートアンテナは円を１６分割した各方向に受信方向を有すると規定されている。そして、実際に市販されている多指向性アンテナの中には、アンテナをモータで回転させて受信方向を切り換えるタイプや、複数のアンテナを有し、電子スイッチのオン／オフにより有効なアンテナの方向を切り換えるタイプ（アンテナ自体は回転しない）など、様々な構造のものが存在する。
【０００４】
一方、このような多指向性アンテナに接続されるテレビジョン放送受信装置は、多指向性アンテナの受信方向を調節できるように設定されており、ユーザが選択したチャンネルのテレビジョン放送信号を最も状態良く受信できるアンテナの方向（以下、最適受信方向という）を自動的に選択するオートスキャン機能を備えたものも存在する。
【０００５】
ところで、このようなテレビジョン放送受信装置によるテレビジョン放送信号（地上波）の受信状況は、例えば、車の交通量、アマチュア無線の使用状況、又は隣接周波数にある他局の放送等の影響により、時間帯によって変化することが考えられる。なお、時刻に応じてアンテナの受信方向を制御するようにした装置として、カレンダ時計部と衛星位置記憶部とを有し、カレンダ時計部から出力される日時に対応した衛星位置情報を衛星位置記憶部から読み出してアンテナの受信方向を制御するようにした移動体用アンテナ装置が知られている（例えば、特許文献１参照）。
【特許文献１】特開平１−１４４７０２号公報
【発明の開示】
【発明が解決しようとする課題】
【０００６】
しかしながら、従来のテレビジョン放送受信装置においては、時刻に応じた制御を多指向性アンテナに対して行うようにした装置は知られておらず、上記のような原因による地上波の受信状況の時間的な変化に適切に対応できる装置は知られていない。なお、上記特許文献１に記載の装置は、時刻に応じてアンテナの受信方向を制御することにより移動衛星を自動的に追尾できるようにしたものであって、上記原因による地上波の受信状況の変化に対応できるものではない。
【０００７】
本発明は、上記の問題を解決するためになされたものであり、時刻に応じた制御を多指向性アンテナに対してできるようにすると共に、地上波の受信状況の時間的な変化に適切に対応することができるテレビジョン放送受信装置を提供することを目的とする。
【課題を解決するための手段】
【０００８】
上記目的を達成するために請求項１の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、時刻を計測する時刻計測手段と、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、これら各チャンネルを受信する際の前記多指向性アンテナの最適受信方向、及びこれら各チャンネルが選局可能なチャンネルとして登録されているか否かを示す登録チャンネル情報を含む受信方向テーブルを記憶する受信方向テーブル記憶手段と、前記制御信号出力手段により前記多指向性アンテナの全ての受信方向を順次指示して、前記受信手段によりテレビジョン放送信号を受信することにより、受信したテレビジョン放送信号の受信強度に基づいて、前記放送局から配信される任意の１チャンネルについて前記最適受信方向及び前記登録チャンネル情報を決定し、前記受信方向テーブルの内容を更新するオートスキャン手段と、前記オートスキャン手段による処理を繰り返すことにより、前記放送局から配信される全てのチャンネルについて、前記最適受信方向及び前記登録チャンネル情報を決定し、前記受信方向テーブルの内容を更新する全域スキャン手段と、前記時刻計測手段により計測された時刻に基づいて、予めユーザによって設定された時刻に前記オートスキャン手段又は全域スキャン手段による処理を実行して、前記受信方向テーブルの内容を更新するタイマスキャン手段と、前記時刻計測手段により計測された時刻に基づいて、予めユーザによって設定された所定時間帯毎に、これら各所定時間帯に対応する前記受信方向テーブルを作成し、前記受信方向テーブル記憶手段に記憶させる時間帯別受信方向テーブル作成手段と、前記受信手段により受信したテレビジョン放送信号の受信強度が所定値以下になった状態が、所定の遅延時間だけ継続したときに、前記オートスキャン手段による処理を実行して、前記受信方向テーブルの内容を更新するノーシグナル時スキャン手段と、前記時刻計測手段により計測された時刻に基づいて、前記ノーシグナル時スキャン手段による処理の際の前記遅延時間を前記所定時間帯毎に決定する遅延時間決定手段とを備えたことを特徴とする。
【０００９】
請求項２の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、時刻を計測する時刻計測手段と、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、前記制御信号出力手段により前記多指向性アンテナの全ての受信方向を順次指示して、前記受信手段によりテレビジョン放送信号を受信することにより、前記放送局から配信される任意の１チャンネルについて前記最適受信方向を決定し、前記受信方向テーブルの内容を更新するオートスキャン手段と、前記時刻計測手段により計測された時刻に基づいて、予めユーザによって設定された時刻に前記オートスキャン手段による処理を実行して、前記受信方向テーブルの内容を更新するタイマスキャン手段とを備えたことを特徴とする。
【００１０】
請求項３の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、時刻を計測する時刻計測手段と、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、前記時刻計測手段により計測された時刻に基づいて、予めユーザによって設定された所定時間帯毎に、これら各所定時間帯に対応する前記受信方向テーブルを作成し、前記受信方向テーブル記憶手段に記憶させる時間帯別受信方向テーブル作成手段とを備えたことを特徴とする。
【００１１】
請求項４の発明は、予め定められている複数の受信方向を有する多指向性アンテナが接続され、前記複数の受信方向のうちのいずれか１つの受信方向のみを有効にして、放送局から各チャンネルで配信されるテレビジョン放送信号を受信するテレビジョン放送受信装置において、時刻を計測する時刻計測手段と、前記多指向性アンテナに対して、テレビジョン放送信号を受信するための受信方向を指示するための制御信号を出力する制御信号出力手段と、前記多指向性アンテナが接続され、テレビジョン放送信号の受信を行う受信手段と、放送局から配信される各チャンネルのチャンネル番号、及びこれら各チャンネルを受信する際の前記多指向性アンテナの最適受信方向の情報を含む受信方向テーブルを記憶する受信方向テーブル記憶手段と、前記制御信号出力手段により前記多指向性アンテナの全ての受信方向を順次指示して、前記受信手段によりテレビジョン放送信号を受信することにより、前記放送局から配信される任意の１チャンネルについて前記最適受信方向を決定し、前記受信方向テーブルの内容を更新するオートスキャン手段と、前記受信手段により受信したテレビジョン放送信号の受信強度が所定値以下になった状態が、所定の遅延時間だけ継続したときに、前記オートスキャン手段による処理を実行して、前記受信方向テーブルの内容を更新するノーシグナル時スキャン手段と、前記時刻計測手段により計測された時刻に基づいて、前記ノーシグナル時スキャン手段による処理の際の前記遅延時間を所定時間帯毎に決定する遅延時間決定手段とを備えたことを特徴とする。
【発明の効果】
【００１２】
請求項１の発明によれば、時刻計測手段により計測された時刻に基づいて、予めユーザによって設定された時刻にオートスキャン手段による処理を実行して、受信方向テーブルの内容を更新するタイマスキャン手段を備えるので、ユーザがテレビ番組を視聴していない時間帯等を利用して受信方向テーブルの内容を自動的に更新することができる。
【００１３】
また、各時間帯に対応する受信方向テーブルを作成する時間帯別受信方向テーブル作成手段を備えるので、作成された各時間帯の受信方向テーブルに基づいて、多指向性アンテナの受信方向を、各時間帯に応じて適切に制御することができ、地上波の受信状況の時間的な変化に適切に対応させることができる。
【００１４】
また、遅延時間決定手段により、テレビジョン放送信号を受信している時間帯に応じて遅延時間を決定し、ノーシグナル時スキャン手段により、ノーシグナル状態がこの遅延時間だけ継続したときに受信方向テーブルの内容を更新するので、各時間帯の遅延時間を適切に設定することにより、ノーシグナル状態の際に、受信方向テーブルの内容を更新するための処理をむやみに実行させないようにすることができる。なお、本明細書において、ノーシグナル状態とは、受信手段により受信したテレビジョン放送信号の受信強度が所定値以下になった状態をいう。
【００１５】
請求項２の発明によれば、タイマスキャン手段を備えるので、ユーザがテレビ番組を視聴していない時間帯等を利用して受信方向テーブルの内容を自動的に更新することができる。
【００１６】
請求項３の発明によれば、時間帯別受信方向テーブル作成手段を備えるので、作成された各時間帯の受信方向テーブルに基づいて、多指向性アンテナの受信方向を、各時間帯に応じて適切に制御することができ、地上波の受信状況の時間的な変化に適切に対応させることができる。
【００１７】
請求項４の発明によれば、ノーシグナル時スキャン手段及び遅延時間決定手段を備えるので、各時間帯の遅延時間を適切に設定することにより、ノーシグナル状態の際に、受信方向テーブルの内容を更新するための処理をむやみに実行させないようにすることができる。
【発明を実施するための最良の形態】
【００１８】
本発明の第１の実施形態に係るテレビジョン（ＴＶ）放送受信装置について説明する。ユーザが家庭においてディジタルＴＶ放送信号（以下、単にＴＶ放送信号という）を受信する状況を図１に示す。ディジタルＴＶ放送が行われている地域では、受信したＴＶ放送信号の強度が一定の閾値以上であれば、補正などにより一定の画質の画像が得られる。そのため、図１に示すように、Ａ地域、Ｂ地域、Ｃ地域など複数箇所に点在する放送局から送信されてくるＴＶ放送信号を受信して、ＴＶ番組を視聴することができる。このような状況に対応して、複数の受信方向を有するスマートアンテナと呼ばれる多指向性アンテナが実用化されている。
【００１９】
図２に示されるように、ＴＶ放送受信装置１は、このようなスマートアンテナ２に接続され、スマートアンテナ２の有効な受信方向を切り替えることにより、複数箇所に点在する放送局から所定周波数帯域で配信されてくるＴＶ放送信号を受信して、各チャンネルのＴＶ放送信号に含まれるＴＶ番組をモニタ装置３に出力する。なお、本実施形態の説明では、ＴＶ番組の放送に使用されている搬送波の周波数帯域である物理チャンネルのことを、単にチャンネルという。
【００２０】
ＴＶ放送受信装置１は、スマートアンテナ２に接続されＴＶ放送信号を受信するチューナ（受信手段）１１、チューナ１１で受信したＴＶ放送信号に対して所定の信号処理を行い、復号化するフロントエンド１２、ＭＰＥＧ圧縮されていたＴＶ放送信号をデコードするＭＰＥＧデコーダ１３、デコードされたＴＶ放送信号に所定の表示画像を重畳させるオンスクリーンディスプレイ（ＯＳＤ）部１４、チューナ１１により受信したＴＶ放送信号の受信状態を検知し、スマートアンテナ２の制御ユニット２２を制御すると共に、ＴＶ放送受信装置１全体を制御する制御部（制御信号出力手段）１５、受信方向テーブルを記憶するメモリ（受信方向テーブル記憶手段）１６、時刻を計測するクロック（時刻計測手段）１７、及びモジュラ端子１８などで構成されている。ＭＰＥＧデコーダ１３によりデコードされたＴＶ放送信号は、オンスクリーンディスプレイ部１４を介してモニタ装置３に出力され、表示される。制御部１５は、後述するオートスキャン処理、全域スキャン処理、又はタイマスキャン処理を実行することにより、オートスキャン手段、全域スキャン手段、又はタイマスキャン手段として機能する。
【００２１】
メモリ１６に記憶される受信方向テーブルは、放送局から配信される各チャンネルのチャンネル番号、これら各チャンネルを受信する際のスマートアンテナ２の最適受信方向、及びこれら各チャンネルが選局可能なチャンネルとして登録されているか否かを示す登録チャンネル情報を含んでいる。制御部１５は、この登録チャンネル情報に基づいて、選局可能なチャンネルとして登録されているチャンネルについてのみ選局処理を実行し、選局処理時にメモリ１６から選局されるチャンネルの最適受信方向を読み出して、この最適受信方向を指示する制御信号をスマートアンテナ２に出力することにより、選局処理を実行する。なお、以下においては、あるチャンネルが選局可能なチャンネルとして登録されている状態をＡＤＤフラグがオン状態であると表現し、あるチャンネルが選局不可能なチャンネルとして登録されている状態をＡＤＤフラグがオフ状態であると表現する。また、受信方向テーブルから登録チャンネル情報が削除されることを、ＡＤＤフラグをオン状態からオフ状態に変更すると表現し、受信方向テーブルに登録チャンネル情報が登録されることを、ＡＤＤフラグをオフ状態からオン状態に変更すると表現する。
【００２２】
スマートアンテナ２は、有効な受信方向を機械的又は電子的に切り替えることにより複数の受信方向Ｄ１〜Ｄ１６（図３参照）からＴＶ放送信号を受信するアンテナ部２１と、アンテナ部２１の動作を制御する制御ユニット２２とを備えている。制御ユニット２２は、ＴＶ放送受信装置１からの制御信号に応じて、アンテナ部２１の複数ある受信方向Ｄ１〜Ｄ１６のうち、指示された受信方向のみを有効にする。
【００２３】
次に、放送局から配信される任意の１チャンネルについて最適受信方向等を決定する際のＴＶ放送受信装置１によるオートスキャン処理について図４のフローチャートを参照して説明する。ユーザによりオートスキャンモードが選択され、最適受信方向を決定するチャンネルが設定されると、制御部１５は、スマートアンテナ２の受信方向Ｄ１〜Ｄ１６の数に応じてカウンタの初期値ｎ（ここでは”１６”）を設定する（Ｓ１）。そして、第ｎ番目の方向を指定する制御信号をスマートアンテナ２に出力し（Ｓ２）、チューナ１１により所定チャンネルのＴＶ放送信号を受信する（Ｓ３）。さらに、ＴＶ放送受信装置１は、受信したＴＶ放送信号の受信強度を測定し、測定結果をメモリ１６に記憶する（Ｓ４）。そして、カウンタを１つ減算し（Ｓ５）、スマートアンテナ２の全ての受信方向についてＴＶ放送信号の受信強度を測定したか否かを判断する（Ｓ６）。全ての受信方向についてＴＶ放送信号の受信強度を測定していない場合は（Ｓ６でＮＯ）、ステップＳ２に戻って次の受信方向についてＴＶ放送信号の受信強度を測定する。全ての受信方向についてＴＶ放送信号の受信強度の測定が完了すると（Ｓ６でＹＥＳ）、制御部１５は、メモリ１６に記憶されている測定データを読み出し、読み出した全ての受信強度を比較して（Ｓ７）、受信強度が最大となる方向を最適受信方向として決定し（Ｓ８）、受信方向テーブルに登録する（Ｓ９）。更に、この最適受信方向の受信強度が所定値以上か否か判断し（Ｓ１０）、所定値以上であれば（Ｓ１０でＹＥＳ）、受信方向テーブルのＡＤＤフラグをオンにして処理を終了する（Ｓ１１）。一方、最適受信方向の受信強度が所定値以下であれば（Ｓ１０でＮＯ）、ＡＤＤフラグをオンにせず（すなわち、ＡＤＤフラグがオフ状態のまま）、処理を終了する。
【００２４】
次に、図５のフローチャートを参照して、放送局から配信される全てのチャンネルについて最適受信方向等を決定する、全域スキャン処理について説明する。制御部１５は、ユーザにより全域スキャンモードが選択されると、放送局から配信されるチャンネル数に応じて、カウンタの初期値ｍ、及び最適受信方向を決定するチャンネル数ｍｍａｘを設定する（Ｓ２１）。そして、第ｍ番目のチャンネルについて上記オートスキャン処理を実行することにより、このチャンネルについて最適受信方向及び登録チャンネル情報を決定し、受信方向テーブルに登録する（Ｓ２２）。そして、カウンタを１つ加算し（Ｓ２３）、全てのチャンネルについてオートスキャン処理が実行されたか否かを判断する（Ｓ２４）。全てのチャンネルについてオートスキャン処理が実行されていない場合は（Ｓ２４でＮＯ）、ステップＳ２２に戻って次のチャンネルについてオートスキャン処理が実行され、全てのチャンネルについて最適受信方向及び登録チャンネル情報が受信方向テーブルに登録されると（Ｓ２４でＹＥＳ）、処理を終了する。
【００２５】
図６は、上記全域スキャン処理により作成された受信方向テーブルの例を示す図である。受信方向テーブル５０には、チャンネル番号５１と対応させて、最適受信方向５２及び登録チャンネル情報５３が記憶されている。なお、図６において、ＡＤＤフラグのオン状態を”○”印で示し、ＡＤＤフラグのオフ状態を無印で示している。また、最適受信方向５２の欄に記載されている各数字は、図３におけるスマートアンテナ２の受信方向Ｄ１〜Ｄ１６に対応している（例えば、”２”は受信方向Ｄ２に、”３”は受信方向Ｄ３にそれぞれ対応）。
【００２６】
次に、図７及び図８を参照して、タイマスキャン処理を説明する。図７は、タイマスキャンの設定画面を示す図である。設定画面６０は、設定名６１、スキャン開始時刻６２及びスキャン範囲６３の各入力項目を有している。設定名６１は複数のタイマ設定を行う際に、各タイマ設定を区別するために用いられる。スキャン開始時刻６２の入力項目は、設定時刻の入力項目６２ａと、同設定のタイマスキャン処理を毎日行うか、或は、一回だけ行うか等の繰り返し設定に関する入力項目６２ｂとを含んでいる。スキャン範囲６３の入力項目では、全域スキャン処理を行うのか、或は、ユーザが指定するチャンネルについてのみオートスキャン処理を行うのか、いずれかの設定を選択することができる。ユーザは、カーソル６４を操作して各入力項目について設定を行い、ＯＫボタン６５をクリックしてタイマスキャンの設定を終了する。
【００２７】
図８のフローチャートに示されるように、ユーザによるタイマスキャンの設定が終了すると、制御部１５は、クロック１７から入力される信号に基づいて、スキャン開始時刻になったか否か監視し（Ｓ４１）、スキャン開始時刻になると（Ｓ４１でＹＥＳ）、全域スキャン処理、又はユーザにより指定されたチャンネルについてオートスキャン処理を実行する（Ｓ４２）。図７に示したタイマスキャンの設定の場合には、午後５時５８分に全域スキャン処理が実行され、受信方向テーブル５０の内容が更新される。
【００２８】
本実施形態のＴＶ放送受信装置１によれば、クロック１７により計測された時刻に基づいて、予めユーザによって設定されたスキャン開始時刻にオートスキャン処理等を実行して、受信方向テーブル５０の内容を更新するので、ユーザがテレビ番組を視聴していない時間帯等を利用して受信方向テーブル５０の内容を自動的に更新することができる。
【００２９】
次に、本発明の第２の実施形態について図９乃至図１３を参照して説明する。本実施形態におけるＴＶ放送受信装置１は、時間帯別受信方向テーブル作成手段、ノーシグナル時スキャン手段及び遅延時間決定手段を備える点で第１の実施形態と異なり、他の構成は第１の実施形態と同様である。制御部１５は、後述する時間帯別受信方向テーブル作成処理、ノーシグナル時スキャン処理を実行することにより、時間帯別受信方向テーブル作成手段、ノーシグナル時スキャン手段及び遅延時間決定手段として機能する。なお、本実施形態の説明において、時間帯別受信方向テーブルとは、予め設定された所定時間帯毎に作成された受信方向テーブルのことをいう。
【００３０】
図９は、時間帯別受信方向テーブルを作成する際の各種条件を設定する設定画面を示す図である。設定画面７０は、複数の時間帯について各時間帯の受信方向テーブルが設定できるように、複数の設定項目７１〜７３を有している。また、各設定項目７１〜７３は、設定名７０ａ、設定時刻７０ｂ、及び遅延時間（Ｄｅｌａｙ  Ｔｉｍｅ）７０ｃの各入力項目を有している。なお、遅延時間とは、ＴＶ放送信号の受信強度が所定値以下になった時点からオートスキャン処理が開始されるまでの時間のことをいう。ユーザはカーソル７４を操作して各設定項目７１〜７３に各種条件を入力し、ＯＫボタン７５をクリックして時間帯別受信方向テーブルの各種条件の設定を終了する。本実施形態においては、設定名７０ａを”朝用設定”とした受信方向テーブルの設定を、設定時刻午前０時から午前8時まで、遅延時間３秒とし、設定名７０ａを”昼用設定”とした受信方向テーブルの設定を、設定時刻午前８時から午後１６時まで、遅延時間２秒とし、設定名７０ａを”夜用設定”とした受信方向テーブルの設定を、設定時刻午後１６時から午前０時まで、遅延時間1秒とした場合について説明する。
【００３１】
次に、図１０を参照して、時間帯別受信方向テーブル作成処理について説明する。ユーザによりオートスキャンモードが選択されると、制御部１５は、クロック１７からの出力を参照して現在時刻Ｔを検知する（Ｓ６１）。そして、現在時刻Ｔが朝用設定の時間帯の範囲内か否か判断し（Ｓ６２）、朝用設定の時間帯の範囲内であれば（Ｓ６２でＹＥＳ）、オートスキャン処理を実行して朝用設定の受信方向テーブルの内容を更新する（Ｓ６３）。一方、現在時刻Ｔが朝用設定の時間帯の範囲内でなければ（Ｓ６２でＮＯ）、次に、昼用設定の時間帯の範囲内か否か判断し（Ｓ６４）、昼用設定の時間帯の範囲内であれば（Ｓ６４でＹＥＳ）、オートスキャン処理を実行して昼用設定の受信方向テーブルの内容を更新する（Ｓ６５）。また、昼用設定の時間帯の範囲内でなければ（Ｓ６４でＮＯ）、オートスキャン処理を実行して夜用設定の受信方向テーブルの内容を更新する（Ｓ６６）。なお、本実施形態においては、オートスキャン処理により各時間帯における受信方向テーブルの内容を更新する場合について説明したが、上記全域スキャン処理、又はタイマスキャン処理により受信方向テーブルの内容を更新する場合についても同様である。また、いずれの時間帯の受信方向テーブルについても最適受信方向及び登録チャンネル情報が登録されておらず、上記時間帯別受信方向テーブル作成処理が初めて実施された場合には、更新された時間帯以外の受信方向テーブルについても、同じ最適受信方向及び登録チャンネル情報を登録するようにしてもよい。
【００３２】
図１１は、上記時間帯別受信方向テーブル作成処理により作成された受信方向テーブルの例を示す図である。受信方向テーブルは、朝用設定、昼用設定及び夜用設定の各受信方向テーブル５０ａ〜５０ｃにより構成されている。ＴＶ放送信号（地上波）の受信状況は、車の交通量、アマチュア無線の使用状況、又は隣接周波数にある他局の放送等の影響により、時間帯によって変化することがあるため、朝用設定、昼用設定及び夜用設定の各受信方向テーブル５０ａ〜５０ｃは、図１１に示されるように、異なるＡＤＤフラグの状態、及び最適受信方向を有する場合がある。
【００３３】
本実施形態におけるＴＶ放送受信装置１によれば、上記時間帯別受信方向テーブル作成処理を実施して所定時間帯毎に受信方向テーブルを作成するので、作成された各時間帯の受信方向テーブル５０ａ〜５０ｃに基づいて、スマートアンテナ２の受信方向を各時間帯に応じて適切に制御することができ、地上波の受信状況の時間的な変化に適切に対応させることができる。
【００３４】
次に、ノーシグナル時スキャン処理について、図１２及び図１３を参照して説明する。制御部１５は、ＴＶ放送信号の受信中、受信強度を監視して受信強度が所定値以下になったか否か判断する（Ｓ８１）。そして、受信強度が所定値以下になると（Ｓ８１でＹＥＳ）、ノーシグナル時間ｔのカウントを開始すると共に（Ｓ８２）、クロック１７を参照することにより、現在時刻が朝用設定、昼用設定又は夜用設定のいずれの時間帯に該当するか判断し、遅延時間ｄｎを決定する（Ｓ８３）。そして、ノーシグナル時間ｔと遅延時間ｄｎを比較してノーシグナル時間ｔが遅延時間ｄｎを経過した否か判断する（Ｓ８４）。ノーシグナル時間ｔが遅延時間ｄｎを経過していない場合には（Ｓ８４でＹＥＳ）、更に受信強度が所定値以下であるか否か判断され（Ｓ８５）、受信強度が所定値より大きければ（Ｓ８５でＮＯ）、ステップＳ８１に戻ってステップＳ８１からの処理が繰り返される。一方、受信強度が所定値以下であれば（Ｓ８５でＹＥＳ）、ステップＳ８４に戻って、ステップＳ８４からの処理が繰り返される。そして、ノーシグナル時間ｔが遅延時間ｄｎを経過すると（Ｓ８４でＮＯ）、オートスキャン処理を実行して、該当する時間帯の受信方向テーブルの内容を更新する（Ｓ８６）。
【００３５】
次に、図１３を参照して、上記ノーシグナル時スキャン処理をより具体的に説明する。図１３において、縦軸に受信強度、横軸に時間がそれぞれ採られており、正常な状態の受信強度がＬａで、ノーシグナル状態の受信強度がＬ０で示されている。受信状態が正常な状態からノーシグナル状態になった時点がｔ１及びｔ３で示されており、受信状態がノーシグナル状態から正常な状態になった時点がｔ２及びｔ４で示されている。また、朝用設定、昼用設定、及び夜用設定の各遅延時間ｄｎがそれぞれｄ１，ｄ２，ｄ３で示されている。上記ノーシグナル時スキャン処理が実行されることにより、ｔ１の時点からノーシグナル時間ｔのカウントが開始され（Ｓ８１〜Ｓ８２）、ノーシグナル時間ｔが遅延時間ｄｎを経過したか否かが判断される（Ｓ８３〜Ｓ８４）。夜用設定の場合においては、ｔｓ１の時点でノーシグナル時間ｔが遅延時間ｄ３を経過するので（Ｓ８４でＮＯ）、ｔｓ１の時点からオートスキャン処理が実行され、夜用設定の受信方向テーブルが更新される（Ｓ８５）。一方、朝用設定及び昼用設定の場合においては、ノーシグナル時間ｔが遅延時間ｄ１，ｄ２を経過する前のｔ２の時点で、受信状態が正常な状態に回復するので（Ｓ８５でＮＯ）、オートスキャン処理を実行せずにステップＳ８１に戻ってＴＶ放送信号の受信強度を監視する。
【００３６】
また同様に、受信状態がノーシグナル状態になったｔ３の時点からノーシグナル時間ｔのカウントが開始され、ノーシグナル時間ｔが遅延時間ｄｎを経過したか否かが判断される。昼用設定及び夜用設定の場合においては、それぞれｔｓ３及びｔｓ２の時点でノーシグナル時間ｔが遅延時間ｄ２及び遅延時間ｄ３を経過するので、それぞれｔｓ３及びｔｓ２の時点からオートスキャン処理が実行され、昼用設定及び夜用設定の受信方向テーブルが更新される。一方、朝用設定の場合においては、ノーシグナル時間ｔが遅延時間ｄ１を経過する前のｔ４の時点で、受信状態が正常な状態に回復するので、オートスキャン処理を実行せずにステップＳ８１に戻ってＴＶ放送信号の受信強度を監視する。
【００３７】
このように、夜間に比べて電波にノイズが入り易く、ノイズ等の影響により短期的な受信状況の悪化が生じる可能性が高い昼間は、遅延時間ｄ２を長く設定して、一定時間、受信状態が回復するのを待ってから、オートスキャン処理を実行するので、オートスキャン処理がむやみに実行されることがなく、ユーザによるテレビ番組の視聴がむやみに中断されることがない。一方、ノイズ等の影響により短期的な受信状況の悪化が生じる可能性が低い夜間は、遅延時間ｄ３を短く設定して、ノーシグナル状態になってから早い段階でオートスキャン処理を実行することにより速やかに新しい最適受信方向等を決定することができる。
【００３８】
以上のように、本実施形態のＴＶ放送受信装置１によれば、ＴＶ放送信号を受信している時間帯に応じて遅延時間ｄｎを決定し、ノーシグナル状態がこの遅延時間ｄｎだけ継続したときに受信方向テーブルの内容を更新するので、各時間帯の遅延時間ｄｎを適切に設定することにより、ノーシグナル状態の際に、オートスキャン処理をむやみに実行させないようにすることができる。
【００３９】
なお、本発明は上記実施形態の構成に限られることなく種々の変形が可能である。例えば、ＴＶ放送受信装置１が受信できるＴＶ放送信号は、ディジタルテレビジョン放送信号に限られずアナログテレビジョン放送信号であってもよい。また、スマートアンテナ２の受信方向数は、上記実施形態で例示した１６方向に限られず、４方向や８方向など、その他の数であってもよい。
【図面の簡単な説明】
【００４０】
【図１】ユーザが家庭においてＴＶ放送信号を受信する状況を示す概念図。
【図２】本発明の実施形態に係るＴＶ放送受信装置の構成を示すブロック図。
【図３】同受信装置に接続されるスマートアンテナの受信方向の説明図。
【図４】同受信装置によるオートスキャン処理を示すフローチャート。
【図５】同受信装置による全域スキャン処理を示すフローチャート。
【図６】同全域スキャン処理により作成された受信方向テーブルを示す図。
【図７】同受信装置によるタイマスキャンの設定画面を示す図。
【図８】同受信装置によるタイマスキャン処理を示すフローチャート。
【図９】同受信装置による時間帯別受信方向テーブルの設定画面を示す図。
【図１０】同受信装置による時間帯別受信方向テーブル作成処理を示すフローチャート。
【図１１】同時間帯別受信方向テーブル作成処理により作成された受信方向テーブルを示す図。
【図１２】同受信装置によるノーシグナル時スキャン処理を示すフローチャート。
【図１３】同ノーシグナル時スキャン処理の説明図。
【符号の説明】
【００４１】
１  テレビジョン放送受信装置
２  スマートアンテナ（多指向性アンテナ）
３  モニタ装置
１１  チューナ
１２  フロントエンド
１３  ＭＰＥＧデコーダ
１４  オンスクリーンディスプレイ部
１５  制御部
１６  メモリ
１７  クロック
１８  モジュラ端子
２１  アンテナ部
２２  制御ユニット
【図１】
2006014060.tif 000003
【図２】
2006014060.tif 000004
【図３】
2006014060.tif 000005
【図４】
2006014060.tif 000006
【図５】
2006014060.tif 000007
【図６】
2006014060.tif 000008
【図７】
2006014060.tif 000009
【図８】
2006014060.tif 000010
【図９】
2006014060.tif 000011
【図１０】
2006014060.tif 000012
【図１１】
2006014060.tif 000013
【図１２】
2006014060.tif 000014
【図１３】
2006014060.tif 000015